(57)【要約】【課題】  軸柱が無い部分においても縦目地６を防水することができるとともに、目地仕上材の下地とすることもできる水切り構造１、入隅用水きり具２、及び出隅用水切り構造３を提供する。【解決手段】  水切り構造１は、矩形板状のサイディング材４１の裏面に枠材４２が固定されてなる外壁パネル４間の縦目地６から建物内部に水が侵入することを防ぐ水切り構造１において、前記縦目地６の屋内側に前記建物の梁５の屋外側を覆うように配置され、上端が折り返されて前記枠材４２の上端に引っ掛かる鉤部１１を形成する板部材１２と、中央部が前記板部材１２の屋外側の面に固定されるとともに、両側に前記枠材４２を屋外側から前記板部材１２側に押さえつける押え部１３を形成する翼部材１５と、を備える。【選択図】図２
2010047997.tif 000002
【特許請求の範囲】
【請求項１】
矩形板状のサイディング材の裏面の周縁に枠材が固定されてなる外壁パネルが建物の梁の屋外側に並べて設置されることにより形成される縦目地から建物内部に水が侵入することを防ぐ水切り構造において、
前記縦目地の屋内側に前記建物の梁の屋外側を覆うように配置され、上端が折り返されて前記枠材のうち上方枠材の上端に引っ掛かる鉤部を形成する板部材と、
中央部が前記板部材の屋外側の面に固定されるとともに、両側に前記枠材のうち縦枠材を屋外側から前記板部材側に押さえつける押え部を形成する翼部材と、を備えることを特徴とする水切り構造。
【請求項２】
矩形板状のサイディング材の裏面の周縁に枠材が固定されてなる外壁パネルが、建物の直角に設置される２つの梁の屋外側に直角に並べて設置されることにより形成される入隅における縦目地から建物内部に水が侵入することを防ぐ入隅用水切り構造において、
前記入隅における縦目地の屋内側に前記建物の梁の屋外側を覆うように配置され、中央に前記入隅部に沿って折曲する折曲部が形成されるとともに、前記折曲部を挟んで両側の上端が折り返されて前記枠材のうち上方枠材の上端に引っ掛かる入隅用鉤部を形成する折曲板部材と、
中央部が前記折曲部に固定されるとともに、前記入隅に沿って折曲して設けられ、両側に前記枠材のうち縦枠材を屋外側から前記板部材側に押えつける入隅用押え部が形成される折曲翼部材と、を備えることを特徴とする入隅用水切り構造。
【請求項３】
矩形板状のサイディング材の裏面の周縁に枠材が固定されてなる外壁パネルと、断面Ｌ字状に形成された出隅用外壁パネルと、の間の縦目地から建物内部に水が侵入することを防ぐ出隅用水切り構造において、
前記縦目地の屋内側に前記建物の梁の屋外側を覆うように配置される出隅用板部材と、
基端が該出隅用板部材の屋外側面に固定されるとともに、先端が前記枠材のうち縦枠材を屋外側から前記出隅用板部材に押えつける押え部と、を備えることを特徴とする出隅用水切り構造。
【発明の詳細な説明】
【技術分野】
【０００１】
この発明は、建物外壁の目地に設置される水切り構造、入隅用水切り構造、及び出隅用水切り構造に関し、特に、建物の胴差部の縦目地から風や水が侵入することを防止する水切り構造、入隅用水切り構造、及び出隅用水切り構造に関する。
【背景技術】
【０００２】
従来より、建物の外壁パネル間の水平目地や縦目地から風雨等が建物内部に侵入することを防ぐために、これらの目地には乾式または湿式の様々な防水構造が用いられている。このうち乾式の縦目地の防水構造としては、例えば図９に示すように、外壁パネル１００間の縦目地１０１の背後に、樹脂又は金属からなる防水材１０３を備えたものが提案されている。この防水材１０３は、軸柱１０４に固定される硬質のベース部１０５と、このベース部１０５から外壁パネル１００方向に突出する軟質のシール片１０６と、を備えており、シール片１０６が外壁パネル１００の裏面部１０７に押圧され、潰れ状に変形して、この裏面部１０７に水密的に当接することにより、風雨等が縦目地１０１を通って建物内部に侵入することを防いでいる（例えば特許文献１）。そして、このような防水材１０３を設置した後の縦目地１０１にシーリング材やシールジョイント等の目地仕上材を嵌め込んで、外壁パネル１００間の縦目地１０１を仕上げている。
【特許文献１】特開２０００−１９６８号公報
【発明の開示】
【発明が解決しようとする課題】
【０００３】
しかし、上述のような防水材１０３は、建物の軸柱１０４に固定されるものであり、建物の胴差部などの軸柱１０４が無い箇所には適用することができない。また、建物の胴差部には、目地仕上材の下地がなく、目地仕上材を縦目地１０１に嵌め込んだ場合にも、十分な防水性を確保することが困難であった。特に建物の胴差部に配置される梁は、主にＨ形鋼で形成されるものであるので、Ｈ形鋼を構成する上下のフランジの間に空間を有するので、この空間に風雨が侵入する虞があった。
【０００４】
そこで、本発明は、軸柱が無い部分においても縦目地を防水することができるとともに、目地仕上材の下地とすることもできる水切り構造、入隅用水切り構造、出隅用水切り構造、及びこれら縦目地の水切り構造を提供することを目的とする。
【課題を解決するための手段】
【０００５】
請求項１に記載の水切り構造は、矩形板状のサイディング材の裏面の周縁に枠材が固定されてなる外壁パネルが建物の梁の屋外側に並べて設置されることにより形成される縦目地から建物内部に水が侵入することを防ぐ水切り構造において、前記縦目地の屋内側に前記建物の梁の屋外側を覆うように配置され、上端が折り返されて前記枠材のうち上方枠材の上端に引っ掛かる鉤部を形成する板部材と、中央部が前記板部材の屋外側の面に固定されるとともに、両側に前記枠材のうち縦枠材を屋外側から前記板部材側に押さえつける押え部を形成する翼部材と、を備えることを特徴としている。
【０００６】
請求項２に記載の入隅用水切り構造は、矩形板状のサイディング材の裏面の周縁に枠材が固定されてなる外壁パネルが、建物の直角に設置される２つの梁の屋外側に直角に並べて設置されることにより形成される入隅における縦目地から建物内部に水が侵入することを防ぐ入隅用水切り構造において、前記入隅における縦目地の屋内側に前記建物の梁の屋外側を覆うように配置され、中央に前記入隅部に沿って折曲する折曲部が形成されるとともに、前記折曲部を挟んで両側の上端が折り返されて前記枠材のうち上方枠材の上端に引っ掛かる入隅用鉤部を形成する折曲板部材と、中央部が前記折曲部に固定されるとともに、前記入隅に沿って折曲して設けられ、両側に前記枠材のうち縦枠材を屋外側から前記板部材側に押えつける入隅用押え部が形成される折曲翼部材と、を備えることを特徴としている。
【０００７】
請求項３に記載の出隅用水切り構造は、矩形板状のサイディング材の裏面の周縁に枠材が固定されてなる外壁パネルと、断面Ｌ字状に形成された出隅用外壁パネルと、の間の縦目地から建物内部に水が侵入することを防ぐ出隅用水切り構造において、前記縦目地の屋内側に前記建物の梁の屋外側を覆うように配置される出隅用板部材と、基端が該出隅用板部材の屋外側面に固定されるとともに、先端が前記枠材のうち縦枠材を屋外側から前記出隅用板部材に押えつける押え部と、を備えることを特徴としている。
【発明の効果】
【０００８】
請求項１に記載の水切り構造によると、板部材の上端を折り返して形成される鉤部が外壁パネルの枠材のうち上方枠材の上端に引っ掛かるとともに、中央部が板部材の屋外側面に固定される翼部の両側部がサイディング材と縦枠材との間隙に挿入されるので、縦目地の軸柱が無い部分においても簡単に固定することができる。そして、この水切り構造は、建物の梁の屋外側を覆うように配置されているので、梁を構成する上下１対のフランジの間の空間に風雨等が侵入することを好適に防ぐことができる。
【０００９】
また、このように軸柱が無い部分においても縦目地の屋内側に水切り構造が設置されることで、例えば縦目地にシーリング剤を注入するような場合にもその下地材として用いることができ、簡単に施工することができる。
【００１０】
請求項２に記載の入隅用水切り構造によると、折曲板部材は、折曲部を挟んで両側の上端が折り返されて枠材のうち上方枠材の上端に引っ掛かる入隅用鉤部を有し、折曲翼部材は、両側がサイディング材と縦枠材との間隙にそれぞれ挿入されるので、建物入隅の縦目地に簡単に固定することができる。また、中央で外壁の入隅に沿って折曲する折曲部が形成される折曲板部材が、外壁の入隅における縦目地の屋内側に建物の梁の屋外側を覆うように配置されているので、外壁の入隅における縦目地においても、梁の上下１対のフランジの間の空間に風雨等が侵入することを好適に防ぐことができる。
【００１１】
請求項３に記載の出隅用水切り構造によると、外壁パネル側の端部が前記サイディング材と前記枠材の縦枠材との間隙に挿入される出隅用押え部を有するので、出隅用水切り構造を極めて簡単に外壁パネルに固定することができるとともに、縦目地の屋内側に前記建物の梁の屋外側を覆うように配置される出隅用板部材を有するので、外壁パネルと、出隅用外壁パネルの間の縦目地から、梁の上下１対のフランジの間の空間に風雨等が侵入することを好適に防ぐことができる。
【発明を実施するための最良の形態】
【００１２】
以下、図面を参照しつつ、この発明における水切り構造１、入隅用水切り構造２、及び出隅用水切り構造３についてそれぞれ説明する。これらの水切り構造１、入隅用水切り構造２、及び出隅用水切り構造３は、住宅等の建物の外壁パネル４間の縦目地６から建物内部に風雨が侵入することを防ぐものであって、建物の階間に設けられる胴差部や、建物の屋根と外壁の間に設けられる切軒下部、切妻部、破風部等のように外壁パネル４の屋内側に水平な梁５が外壁パネル４に沿って配置されている箇所の外壁パネル４と梁５との間に配置されるものである。ここで、外壁パネル４の上端と梁５の上面とはほぼ等しい高さに設置される。
【００１３】
まず、図１から図４に基づいて、水切り構造１について説明する。図１に示すように水切り構造１は相互に隣り合う外壁パネル４が同一平面上に並設される箇所の縦目地６に配置されるものであって、外壁パネル４の相対する側端により形成される縦目地６と、その屋内側に配設されるＨ形鋼で形成された梁５の側部と、を隔てる役割を果たすものである。
【００１４】
水切り構造１は、図２に示すように、一枚の矩形金属板からなり上端を折り返して鉤部１１を形成する板部材１２と、この板部材１２の鉛直方向の中心線に例えば図示しないがネジ等により固定されており、両側には押え部１３が側方に向かって波打ち状に形成されるとともに下端１４が板部材１２の下端よりもやや下方に配置される翼部材１５と、を備える。この板部材１２の上下方向の長さは、建物の梁５として用いられるＨ形鋼の上下のフランジ５１の間の幅よりもやや大きく形成されている。
【００１５】
そしてこのような、水切り構造１が固定される外壁パネル４は、図３及び図４に示すように、矩形板状のサイディング材４１の周縁に、屋内側面の上縁に固定される上方枠材４２ａと、両側縁に固定される縦枠材４２ｂと、を含む断面コ字状の枠材４２が外壁パネル４の上下端側及び側端側を開口するように固定されてなるものである。
【００１６】
水切り構造１を外壁パネル４間の縦目地６に固定する際には、水切り部材１を外壁パネル４の上方から、水切り構造１の翼部材１５の両側に形成されている押え部１３と板部材１２とで外壁パネル４の枠材４２の縦枠材４２ｂを挟み込むように挿入し、板部材１２の上端に形成された鉤部１１を枠材４２の上方枠材４２ａの上端側に引っ掛けて固定する。以上のように水切り構造１は、外壁パネルの上方側から嵌め込むだけで簡単に固定することができるので、簡単に施工することができる。また、図４に示すように、梁５の側面を覆うように配置されるので、梁５のフランジ５１間の空間に風雨が入り込むことを効果的に防ぐことができる。また、縦目地６の間にシーリング剤を注入するような場合にもこの水切り構造１を下地材とすることができるので容易に施工することができる。
【００１７】
次に、図１、図５、及び図６を参照しつつ、入隅用水切り構造２について説明する。入隅用水切り構造２は、図１に示すように、互いに隣り合う外壁パネル４同士が直角に配置される外壁の入隅の縦目地６に配置されるものであって、この入隅の縦目地６と、その屋内側に配置されるＨ形鋼で形成された梁５の側部と、を隔てる役割を果たすものである。
【００１８】
この入隅用水切り構造２は、図５に示すように矩形の金属板をその中心線で略直角に折り曲げて折曲部２１を形成し、この折曲部２１を挟んで両側の上端は折り返されて、外壁パネル４の枠材４２の上端に引っ掛かる鉤部２２を備える折曲板部材２３と、この折曲板部材２３の折曲部２１に中央が固定されて建物の外壁の入隅に沿って折曲して形成され、両側に側方に向かって波打ち状に形成される入隅用押え部２４が形成されるとともに、下端２５が折曲板部材２３の下端よりもやや下方に配置される折曲翼部材２６と、を備える。この折曲板部材２３の上下方向の長さも板部材１２と同様に、建物の梁５として用いられるＨ形鋼の上下のフランジ５１間の幅よりもやや大きく構成されており、建物の梁５を覆ったときに、フランジ５１間の空間に風雨が侵入することを防ぐことができるように形成されている。
【００１９】
入隅用水切り構造２を建物外壁の入隅における外壁パネル４間の縦目地６に固定する際には、入隅用水切り構造２をほぼ直角に屋内側にくぼんで配置されている外壁パネル４間の縦目地６の上方から、入隅用水切り構造２を、その折曲翼部材２６の両側に形成されている入隅用押え部２４と折曲板部材２３との間に外壁パネル４の枠材４２の縦枠材４２ｂが挟み込まれるように挿入し、折曲板部材２３の鉤部２２を枠材４２の上方枠材４２ａに引っ掛けて固定する。
【００２０】
以上のように入隅用水切り構造２は、外壁パネルの上方側から嵌め込むだけで簡単に固定することができるので、簡単に施工することができる。また、梁５の側面を覆うように配置されるので、梁５のフランジ５１間の空間に風雨が入り込むことを効果的に防ぐことができる。さらに、縦目地６の間にシーリング剤を注入するような場合にもこの入隅用水切り構造２を下地材とすることができるので容易に施工することができる。
【００２１】
次に、図１、図７、及び図８を参照しつつ、出隅用水切り構造３について説明する。図１に示すように出隅用水切り構造３は、建物の外壁の出隅に配置される断面Ｌ字状の出隅用外壁パネル７と、この出隅用外壁パネル７に隣接して設置される外壁パネル４との間の縦目地６に設置されるものであって、この縦目地６とその屋内側に配設されるＨ形鋼で形成された梁５の側部と、を隔てる役割を果たすものである。なお、梁５は、図８に示すようにその端部にはカバー５２が設置されており上下のフランジ５１の間に風雨が侵入することが無いものであるので、出隅用水切り構造３は、図１に示すように、風雨が侵入する虞がある梁５の側部側の縦目地６にのみ取付けられる。
【００２２】
この出隅用水切り構造３は、図７に示すように、矩形金属板で形成され、梁５の上下のフランジ５１間の間隔よりもやや高さ方向に長く形成された出隅用板部材３１と、この出隅用板部材３１のほぼ中央に配置された出隅用外壁パネル取付片３２と、出隅用板部材３１の屋外側面の上下２箇所にそれぞれに基端３３ａが固定されて、先端３３ｂが外壁パネル４の枠材４２の縦枠材４２ｂを出隅用板部材３１側に押し付けるように構成された出隅用押え部３３と、を備える。
【００２３】
この出隅用水切り構造３を外壁パネル４と出隅用外壁パネル７との間の縦目地６に固定する際には、外壁パネルを図示しない建物の軸組に固定し、出隅用外壁パネル７は未施工の状態で、出隅用水切り構造３の出隅用押え部３３と出隅用板部材３１とで外壁パネル４の枠材４２の縦枠材４２ｂを挟み込むようにして固定する。そして、出隅用外壁パネル７を建物の軸組に固定しつつ、出隅用外壁パネル７の屋外側に設けられている図示しない固定片を出隅用外壁パネル取付片３２に嵌合させて、施工を完了する。
【００２４】
このように、出隅用水切り構造３は、側方から挿入するだけで外壁パネル４に固定されることができるものであるので、簡単に施工することができる。また、梁５の側面を覆うように配置されるので、梁５のフランジ５１間の空間に風雨が入り込むことを効果的に防ぐことができる。さらに、縦目地６の間にシーリング剤を注入するような場合にもこの出隅用水切り構造３を下地材とすることができるので容易に施工することができる。
【００２５】
また、上述のような水切り構造１、入隅用水切り構造２、及び出隅用水切り構造３を組み合わせて用いることで、建物の胴差部などの縦目地６の屋内側に軸柱が無く、梁５が設置されている部分から屋内側に風雨が侵入することを好適に防ぐことができる。
【００２６】
なお、本発明の実施の形態は上述の形態に限ることなく、本発明の思想の範囲を逸脱しない範囲で適宜変更することができることは云うまでもない。
【産業上の利用可能性】
【００２７】
本発明に係る水切り構造１、入隅用水切り構造２、及び出隅用水切り構造３は、建物の胴差部等における風雨の侵入を防ぐ部材として好適に用いることができる。
【図面の簡単な説明】
【００２８】
【図１】水切り構造、入隅用水切り構造、及び出隅用水切り構造を建物に設置する一例を示す省略断面図。
【図２】水切り構造の構成を示す斜視図。
【図３】水切り構造を外壁パネル間の縦目地に設置した状態を示す斜視図。
【図４】水切り構造を外壁パネル間の縦目地に設置した状態を示す簡略断面図。
【図５】入隅用水切り構造の構成を示す斜視図。
【図６】入隅用水切り構造を入隅の縦目地に設置した状態を示す斜視図。
【図７】出隅用水切り構造の構成を示す斜視図。
【図８】出隅用水切り構造を外壁パネルと出隅用外壁パネルとの間の縦目地に設置する状態を説明する図。
【図９】従来の縦目地の防水構造を説明する図。
【符号の説明】
【００２９】
１      水切り構造
２      入隅用水切り構造
３      出隅用水切り構造
４      外壁パネル
５      梁
６      縦目地
７      出隅用外壁パネル
１１    鉤部
１２    板部材
１３    押え部
１５    翼部
２１    折曲部
２２    入隅用鉤部
２３    折曲板部材
２４    入隅用押え部
２６    折曲翼部材
３１    出隅用板部材
３３    出隅用押え部
４１    サイディング材
４２    枠材
４２ａ  上方枠材
４２ｂ  縦枠材
【図１】
2010047997.tif 000003
【図２】
2010047997.tif 000004
【図３】
2010047997.tif 000005
【図４】
2010047997.tif 000006
【図５】
2010047997.tif 000007
【図６】
2010047997.tif 000008
【図７】
2010047997.tif 000009
【図８】
2010047997.tif 000010
【図９】
2010047997.tif 000011